(57)【要約】【課題】小型化が可能であり、しかも光配線架内の配線変更にも容易に対応できる光ファイバ保持具および光配線架を提供する。【解決手段】光ファイバ挿通部７に光ファイバ５を保持する保持具本体３と、保持具本体３が載置される支持台部４とを備えた光ファイバ保持具１、保持具本体３は、支持台部４に対し着脱自在とされている。【選択図】図１
2007298917.tif 000002
【特許請求の範囲】
【請求項１】
光配線架（２）に多段に設けられて、複数の光ファイバ（５）を整列させる光ファイバ保持具において、
光ファイバ挿通部（７）に前記光ファイバを保持する保持具本体（３）と、この保持具本体が載置される支持台部（４）とを備え、
前記保持具本体は、前記支持台部に対し着脱自在とされていることを特徴とする光ファイバ保持具（１）。
【請求項２】
前記支持台部の端部には、前記光ファイバを支持する受け部（６）が接続され、
この受け部は、前記支持台部の外方に向けて延在し、前記光ファイバが規定以上の湾曲半径を維持するように下方に湾曲して形成されていることを特徴とする請求項１に記載の光ファイバ保持具。
【請求項３】
前記受け部は、前記支持台部にヒンジ結合されていることを特徴とする請求項２に記載の光ファイバ保持具。
【請求項４】
前記保持具本体は、係止部（１７）を有する可撓性のシート材（１８）からなり、このシート材の一端部が前記係止部に係脱自在に係止することによって、前記光ファイバを囲む環状に形成されていることを特徴とする請求項１〜３のうちいずれか１項に記載の光ファイバ保持具。
【請求項５】
前記保持具本体は、隣り合う光ファイバ保持具の支持台部の間に狭持されていることを特徴とする請求項１〜４のうちいずれか１項に記載の光ファイバ保持具。
【請求項６】
請求項１〜５のうちいずれか１項に記載の光ファイバ保持具が、架本体（２１）に多段に配置され、
前記光ファイバ保持具の保持具本体は、前記架本体に引き込まれた複数の光ファイバ（５）の少なくとも一部を保持できるようにされていることを特徴とする光配線架（２）。
【請求項７】
前記複数の光ファイバ保持具のうち第１の光ファイバ保持具（３１）は、前記複数の光ファイバの一部を保持できるようにされ、第２の光ファイバ保持具（３２）は、前記複数の光ファイバの他の一部を保持できるようにされ、
前記第１および第２の光ファイバ保持具は、互いに離間して設けられ、光ファイバ挿通部の軸線方向（３１ａ、３２ａ）が互いに交差するようにされていることを特徴とする  請求項６に記載の光配線架。
【請求項８】
前記複数の光ファイバ保持具のうち第１の光ファイバ保持具（４１）は、前記複数の光ファイバの一部を保持できるようにされ、第２の光ファイバ保持具（４２）は、前記複数の光ファイバの他の一部を保持できるようにされ、
前記第１および第２の光ファイバ保持具は、互いに離間して設けられ、光ファイバ挿通部の軸線方向（４１ａ、４２ａ）が互いにほぼ平行であることを特徴とする請求項６に記載の光配線架。
【発明の詳細な説明】
【技術分野】
【０００１】
本発明は、光ファイバを保持する光ファイバ保持具、およびこれを用いた光配線架に関する。
【背景技術】
【０００２】
従来、光配線架においては、光ファイバを保持する光ファイバ保持具が用いられている（例えば、特許文献１を参照）。
図７は、従来の光ファイバ保持具の一例を示すもので、ここに示す光ファイバ保持具は、複数の光ファイバ３４が集合される集合部３３と、光ファイバ３４のうち一部（光ファイバ３４ａ）を保持する保持部３５と、光ファイバ３４のうち他の部分（光ファイバ３４ｂ）を保持する保持部３６とを備えている。
【特許文献１】特許第３５３２４５４号公報
【発明の開示】
【発明が解決しようとする課題】
【０００３】
光配線架では、配線密度を高めるため、光ファイバ保持具の小型化が要望されている。また、使用する光ファイバ数を増加または減少させる場合には、配線変更が必要となる。
本発明は上記事情に鑑みてなされたもので、小型化が可能であり、しかも光配線架内の配線変更にも容易に対応できる光ファイバ保持具および光配線架を提供することを目的とする。
【課題を解決するための手段】
【０００４】
上記課題を解決するために、本発明では以下の構成を提供する。
請求項１記載の発明は、光配線架に多段に設けられて、複数の光ファイバを整列させる光ファイバ保持具において、光ファイバ挿通部に前記光ファイバを保持する保持具本体と、この保持具本体が載置される支持台部とを備え、前記保持具本体は、前記支持台部に対し着脱自在とされていることを特徴とする光ファイバ保持具を提供する。
請求項２記載の発明は、請求項１記載の光ファイバ保持具において、前記支持台部の端部は、前記光ファイバを支持する受け部が接続され、この受け部は、前記支持台部の外方に向けて延在し、前記光ファイバが規定以上の湾曲半径を維持するように下方に湾曲して形成されていることを特徴とする光ファイバ保持具を提供する。
請求項３記載の発明は、請求項２記載の光ファイバ保持具において、前記受け部が、前記支持台部にヒンジ結合されていることを特徴とする光ファイバ保持具を提供する。
請求項４記載の発明は、請求項１〜３のうちいずれか１項に記載の光ファイバ保持具において、前記保持具本体が、係止部を有する可撓性のシート材からなり、このシート材の一端部が前記係止部に係脱自在に係止することによって、前記光ファイバを囲む環状に形成されていることを特徴とする光ファイバ保持具を提供する。
請求項５記載の発明は、請求項１〜４のうちいずれか１項に記載の光ファイバ保持具において、前記保持具本体が、隣り合う光ファイバ保持具の支持台部の間に狭持されていることを特徴とする光ファイバ保持具を提供する。
【０００５】
請求項６記載の発明は、請求項１〜５のうちいずれか１項に記載の光ファイバ保持具が、架本体に多段に配置され、前記光ファイバ保持具の保持具本体が、前記架本体に引き込まれた複数の光ファイバの少なくとも一部を保持できるようにされていることを特徴とする光配線架を提供する。
請求項７記載の発明は、請求項６記載の光配線架において、前記複数の光ファイバ保持具のうち第１の光ファイバ保持具は、前記複数の光ファイバの一部を保持できるようにされ、第２の光ファイバ保持具は、前記複数の光ファイバの他の一部を保持できるようにされ、前記第１および第２の光ファイバ保持具は、互いに離間して設けられ、光ファイバ挿通部の軸線方向が互いに交差するようにされていることを特徴とする光配線架を提供する。
請求項８記載の発明は、請求項６記載の光配線架において、前記複数の光ファイバ保持具のうち第１の光ファイバ保持具は、前記複数の光ファイバの一部を保持できるようにされ、第２の光ファイバ保持具は、前記複数の光ファイバの他の一部を保持できるようにされ、前記第１および第２の光ファイバ保持具は、互いに離間して設けられ、光ファイバ挿通部の軸線方向が互いにほぼ平行であることを特徴とする光配線架を提供する。
【発明の効果】
【０００６】
本発明に係る光ファイバ保持具は、保持具本体が支持台部に対し着脱自在とされているので、光ファイバの数に応じた大きさの保持具本体を選択的に使用できる。このため、従来品に比べて小型化が可能である。従って、光配線架での配線の高密度化が可能となる。
また、利用者数の増加に応じて、保持具本体に保持される光ファイバの数を増やす場合には、保持具本体を大型のものに交換することによって、多くの光ファイバを１つの光ファイバ保持具で保持できるようになる。従って、光配線架内の配線変更に容易に対応することができる。
さらには、未使用の光ファイバが保持された保持具本体を支持台部から取り外し、そのまま他の光ファイバ保持具の保持具本体と交換して使用することができるため、一度の操作で、多数の光ファイバの配線変更が可能である。
【発明を実施するための最良の形態】
【０００７】
以下、本発明の一実施形態について、図面を参照して説明する。
図１は本発明の一実施形態による光ファイバ保持具１を示す図である。図２は、光ファイバ保持具１を複数備えた光配線架２を示す図である。図３は、光ファイバ保持具１の動作を説明する図である。図４は、光ファイバ保持具１を用いた光ファイバ配線の一例を示す図である。図５は、光ファイバ保持具１を用いた光ファイバ配線の他の例を示す図である。図６は、光ファイバ保持具１の変形例を示す図である。
なお、図１（ａ）における下方を前方といい、上方を後方ということがある。
【０００８】
図１に示すように、光ファイバ保持具１は、光ファイバ５を保持する保持具本体３と、保持具本体３が載置される支持台部４と、光ファイバ５を支持する受け部６とを備えている。
保持具本体３は、底板部１１と、底板部１１の後端から上方に延びる背板部１２と、背板部１２の上端から前方に延びる上板部１３と、上板部１３の前端から下降しつつ前方に延びる傾斜部１４と、傾斜部１４の前端から底板部１１に沿って前方に延びる前板部１５とを備えており、光ファイバ５を囲む環状に形成されている。
保持具本体３の内部は、光ファイバ５が挿通する光ファイバ挿通部７となっている。
【０００９】
底板部１１には、前板部１５の前端部が係止する係止部１７が形成されている。係止部１７は、底板部１１の前部に形成され、後方に延びる舌片状に形成することができる。係止部１７は、底板部１１との間に前板部１５の前端部を挟み込むことによって、この前端部が底板部１１に係止するようになっている。
係止部１７は、前板部１５の前端部が係脱自在に係止するように形成するのが好ましい。
係止部１７は、底板部１１に切り込みを入れることによって形成することができる。
【００１０】
保持具本体３は、一枚の長方形のシート材１８を、背板部１２の上下端に相当する位置でほぼ垂直に屈曲させるとともに、上板部１３の前端で曲げ、前板部１５の前端部を係止部１７に係止させることによって形成することができる。
シート材１８としては、可撓性材料、例えばポリエチレン、ポリプロピレンなどのプラスチックからなるものが好適である。
【００１１】
保持具本体３は、支持台部４に対し固定されておらず、着脱自在とされている。
保持具本体３は、上下に隣り合う保持具本体３、３の支持台部４、４の間に挟持させることによって、支持台部４に対し位置決めすることができる。
【００１２】
支持台部４は、保持具本体３の底板部１１に沿う板状に形成されており、その上面４ａに保持具本体３が載置されるようになっている。図示例では、支持台部４は平面視長方形の平板状とされ、長手方向が光ファイバ５に対しほぼ垂直となるように配置されている。符号４ｃは支持台部４の下面である。
支持台部４は、例えばポリエチレン、ポリプロピレンなどのプラスチック製のものを用いることができる。
【００１３】
受け部６は、支持台部４の側縁部４ｂ（端部）から支持台部４の外方に向けて延在して形成されている。支持台部４の外方とは、支持台部４から離れる方向であり、図示例では、図１（ａ）における左方（符号Ｄ１）である。
図１（ｃ）に示すように、受け部６は、断面略円弧形の板状とされ、支持台部４から離れるに従って下降するように湾曲して形成されている。受け部６は、支持台部４から離れるに従って、支持台部４に対する傾きが大きくなるように湾曲している。
図示例では、支持台部４は、図１（ｃ）における下方（符号Ｄ２）に湾曲している。ここで、下方（符号Ｄ２）は、保持具本体３が載置された面４ａとは反対の面４ｃが面し、かつ支持台部４に対し垂直な方向である。
受け部６は、その上に配線される光ファイバ５が規定以上の湾曲半径を維持するように形成するのが好ましい。
【００１４】
受け部６は、支持台部４に対しヒンジ結合させるのが好ましい。例えば、薄肉部分（接続部８）を介して支持台部４に接続された受け部６が、接続部８を支点として支持台部４に対して回動するように形成するのが好ましい。受け部６と支持台部４は、プラスチックの一体成形によって形成することができる。
接続部８の厚さは、受け部６が支持台部４に対して任意の位置で安定な姿勢を維持するように設定するのが好ましい。
【００１５】
図２に示すように、光配線架２は、架本体２１内に、複数の光ファイバ保持具１が上下に多段に配置され、これによって、複数の光ファイバ５が整列されている。
保持具本体３は、上下に隣り合う支持台部４、４の間に挟持させることによって、支持台部４に対し位置決めすることができる。
保持具本体３が支持台部４、４に狭持されているため、無駄なスペースを少なくすることができ、配線密度を高めることができる。
【００１６】
図２において、光ファイバ保持具１のうち、最下段に位置する光ファイバ保持具１ａは、保持具本体３ａの厚さ（高さ）が他の光ファイバ保持具１の保持具本体３より大きく形成されている。このため、他の光ファイバ保持具１よりも多くの光ファイバ５を保持できる。
光配線架２では、架本体２１に引き込まれてガイド部２２を経た光ファイバ５の少なくとも一部が光ファイバ保持具１の保持具本体３に保持されるようになっている。
【００１７】
図３に示すように、光ファイバ保持具１ｂの受け部６を上方に回動させることによって、この光ファイバ保持具１ｂに保持された光ファイバ５を上方に移動させ、これに隣接する光ファイバ保持具１ｃにおける配線作業のための作業スペースを確保できる。
【００１８】
保持具本体３には、底板部１１の先端部に引き出し用貫通孔を形成しておき、この貫通孔に取り出し具を係止させて前方に引くことによって、支持台部４から取り外すことができる。
【００１９】
以下、光配線架２内における光ファイバ保持具の配置の第１の例を説明する。
図４に示すように、光配線架２に引き込まれた光ファイバ５のうちの一部である光ファイバ５ａは、別の光ファイバと接続される現用光ファイバである。光ファイバ５のうち他の一部である光ファイバ５ｂは、別の光ファイバに接続されない保留光ファイバ（未使用光ファイバ）である。
光ファイバ保持具１のうち光ファイバ保持具３１（第１の光ファイバ保持具）は、現用光ファイバ５ａを保持できるようにされている。光ファイバ保持具３２（第２の光ファイバ保持具）は、保留光ファイバ５ｂを保持できるようにされている。
光ファイバ保持具３１、３２は、互いに離間して設けられ、これらは、光ファイバ挿通部７の軸線方向３１ａ、３２ａ（光ファイバ配線方向）が互いに交差するように形成されている。図示例では、光ファイバ保持具３１の軸線方向３１ａは、光ファイバ保持具３２の軸線方向３２ａに対してほぼ垂直となっている。
【００２０】
図４（ａ）に示すように、現用光ファイバ５ａは、ガイド部２２ａを経て、図中左方に向かい、光ファイバ保持具３１に保持されている。
保留光ファイバ５ｂは、ガイド部２２ｂを経て図中下方に湾曲し、光ファイバ保持具３２に保持されている。
このため、光ファイバ保持具３２に保持された部分の保留光ファイバ５ｂは、現用光ファイバ５ａに対しほぼ垂直に向けられている。
【００２１】
次に、光ファイバ保持具の配置の第２の例を説明する。
図５に示す例では、現用光ファイバ用の光ファイバ保持具４１（第１の光ファイバ保持具）と、保留光ファイバ用の光ファイバ保持具４２（第２の光ファイバ保持具）とは、互いに離間して設けられ、これらは、光ファイバ挿通部７の軸線方向４１ａ、４２ａ（光ファイバ配線方向）が互いにほぼ平行となるように設けられている。
図５（ａ）に示す例では、現用光ファイバ５ａは、ガイド部２２ａを経て、図中左方に湾曲し、光ファイバ保持具４１に保持されている。保留光ファイバ５ｂは、ガイド部２２ｂを経て、図中右方に湾曲し、光ファイバ保持具４２に保持されている。このため、光ファイバ保持具４２に保持された部分の保留光ファイバ５ｂは、光ファイバ保持具４１に保持された部分の現用光ファイバ５ａに対しほぼ平行となっている。
【００２２】
このように、光配線架２では、ガイド部２２ａ、２２ｂと、現用光ファイバ用光ファイバ保持具３１、４１と、保留光ファイバ用光ファイバ保持具３２、４２とが別体であるため、これらの数および位置を選択することによって、光ファイバ５の数や配線方向を任意に設定できるという利点がある。
なお、図示例では、光ファイバ５を、現用光ファイバ５ａと保留光ファイバ５ｂとに振り分ける配線を示したが、振り分けた光ファイバの使用方法や接続先は、これに限定されない。
【００２３】
光ファイバ保持具１では、保持具本体３が支持台部４に対し着脱自在とされているので、光ファイバ５の数に応じた大きさの保持具本体３を選択的に使用できる。このため、無駄なスペースをなくし、従来品に比べて小型化が可能となる。
従って、光配線架２での配線の高密度化が可能となる。
【００２４】
また、利用者数の増加に応じて、保留光ファイバを現用光ファイバとすることなどによって、保持具本体３に保持される光ファイバ５の数を増やす場合には、図２に示すように、保持具本体３を、大型のもの（保持具本体３ａ）に交換することによって、多くの光ファイバ５を１つの光ファイバ保持具１で保持できるようになる。
従って、光配線架２内の配線変更に容易に対応することができる。
【００２５】
また、保持具本体３が着脱自在とされているので、保留光ファイバ用の光ファイバ保持具３２の保持具本体３を、保留光ファイバ５ｂを保持した状態のまま支持台部４から取り外し、現用光ファイバ用の光ファイバ保持具３１の保持具本体３として使用することができる。
このため、一度の操作で、多数の保留光ファイバ５ｂを現用光ファイバ５ａとして使用することができるようになる。従って、大幅な配線変更にも容易に対応できる。
【００２６】
図６は、光ファイバ保持具の変形例を示すものである。
ここに示す光ファイバ保持具５１は、支持台部４の後部に２つのラッチ５２が形成されている。
ラッチ５２は、支持台部４から後方に延出して形成され、外側面には側方に突出する係止爪５３が形成されている。
ラッチ５２は、架本体２１に形成された係止穴２３に、互いに接近する方向に弾性変形した状態で挿入される。係止爪５３が架本体２１外に達すると、ラッチ５２は互いに離れる方向に弾性的に復元し、これによって係止爪５３が係止穴２３の縁部に係止した状態となり、位置決めされる。
光ファイバ保持具５１を架本体２１から取り外すときには、ラッチ５２を互いに接近する方向に弾性変形させた状態で、光ファイバ保持具５１を前方に引き出せばよい。
【００２７】
図示例では、架本体２１に、高さが異なる複数の係止穴２３が形成されている。
光ファイバ保持具５１は、任意の係止穴２３に取り付けることができる。
光ファイバ保持具５１を取り付ける係止穴２３を変更することによって、配線に応じて光ファイバ保持具５１の位置を変更することができる。
【００２８】
光ファイバ保持具を光配線架に固定する構造としては、図６に示すものに限定されず、例えば支持台部４の下面側に係止突起を設け、架本体に形成した係止穴に、前記係止突起を係止させる構造を採用してもよい。
また、上記光ファイバ保持具は光ファイバを整列させる光ファイバ整列具として機能している。
【図面の簡単な説明】
【００２９】
【図１】本発明の一実施形態による光ファイバ保持具を示す図である。
【図２】図１に示す光ファイバ保持具を複数備えた光配線架を示す図である。
【図３】図１に示す光ファイバ保持具の動作を説明する図である。
【図４】光ファイバ保持具を用いた光ファイバ配線の一例を示す図である。
【図５】光ファイバ保持具を用いた光ファイバ配線の他の例を示す図である。
【図６】光ファイバ保持具の変形例を示す図である。
【図７】従来の光配線架の一例を示す図である。
【符号の説明】
【００３０】
１…光ファイバ保持具、２…光配線架、３…保持具本体、４…支持台部、５、５ａ、５ｂ…光ファイバ、６…受け部、７…光ファイバ挿通部、８…接続部、１７…係止部、１８…シート材、２１…架本体、３１、４１…光ファイバ保持具（第１の光ファイバ保持具）、３１ａ、３２ａ、４１ａ、４２ａ…光ファイバ挿通部の軸線方向、３２、４２…光ファイバ保持具（第２の光ファイバ保持具）。
【図１】
2007298917.tif 000003
【図２】
2007298917.tif 000004
【図３】
2007298917.tif 000005
【図４】
2007298917.tif 000006
【図５】
2007298917.tif 000007
【図６】
2007298917.tif 000008
【図７】
2007298917.tif 000009